(57)【要約】【課題】施工後のコンクリート基礎に対して簡単に設置することができる防蟻シートを提供する。【解決手段】防蟻シート１は、粘着性を有し、コンクリート基礎に接着されることになる第一層１１と、第二層１２と、第三層１３とをこの順で含み、第一層１１、第二層１２および第三層１３の少なくとも一つは、防蟻剤を含む。【選択図】図１
2018003335.tif 000002
【特許請求の範囲】
【請求項１】
コンクリート基礎に直接または間接的に接着される防蟻シートであって、
粘着性を有し、前記コンクリート基礎に接着されることになる第一層と、第二層と、第三層とをこの順で含み、
前記第一層、前記第二層および前記第三層の少なくとも一つは、防蟻剤を含む、
ことを特徴とする防蟻シート。
【請求項２】
前記第三層は防蟻剤を含み、
前記第二層は、アルカリ性物質の透過を抑制するバリア層である、
請求項１に記載の防蟻シート。
【請求項３】
前記第二層は、合成樹脂製のフィルムからなる、
請求項２に記載の防蟻シート。
【請求項４】
前記第三層の前記第二層とは反対側の面には、前記コンクリート基礎への接着用の目印が形成されている、
請求項１から３のいずれか１項に記載の防蟻シート。
【請求項５】
前記第三層の前記第二層とは反対側の面には、前記第三層から剥離可能な第四層をさらに備える、
請求項１から４のいずれか１項に記載の防蟻シート。
【請求項６】
前記第四層の前記第三層とは反対側の面には、前記コンクリート基礎への接着用の目印が形成されている、
請求項５に記載の防蟻シート。
【請求項７】
前記第三層は、粘着性を有する、
請求項１から６のいずれか１項に記載の防蟻シート。
【請求項８】
前記第一層、前記第二層および前記第三層の少なくとも一つは、有色である、
請求項１から７のいずれか１項に記載の防蟻シート。
【請求項９】
前記防蟻剤の防蟻効果の終了を表示する目印を備える、
請求項１から８のいずれか１項に記載の防蟻シート。
【請求項１０】
立ち上がり部を備えたコンクリート基礎であって、
前記立ち上がり部の内側面および外側面の少なくとも一方には、請求項１から９のいずれか１項に記載の防蟻シートが直接または間接的に接着されている、
コンクリート基礎。
【請求項１１】
前記防蟻シートは、当該立ち上がり部の高さ方向全長ではなく、一部にのみ接着されている、
請求項１０に記載のコンクリート基礎。
【請求項１２】
前記防蟻シートは、前記立ち上がり部の天端面と略同じ高さ位置から下方に延びている、
請求項１１に記載のコンクリート基礎。
【請求項１３】
前記立ち上がり部の内側面には、前記コンクリート基礎の中性化を抑制する養生シートと前記防蟻シートとが、前記立ち上がり部側からこの順に接着されている、
請求湖１０から１２のいずれか１項に記載のコンクリート基礎。
【請求項１４】
前記養生シートには、防蟻剤が含有されている、
請求項１３に記載のコンクリート基礎。
【請求項１５】
前記立ち上がり部の外側面には、前記コンクリート基礎に所定の意匠を付与する化粧シートが接着されている、
請求項１０から１５のいずれか１項に記載のコンクリート基礎。
【請求項１６】
前記立ち上がり部の外側面には、前記化粧シートと前記防蟻シートとが、前記立ち上がり部側からこの順に接着されている、
請求項１５に記載のコンクリート基礎。
【請求項１７】
前記化粧シートには、防蟻剤が含有されている、
請求項１５または１６に記載のコンクリート基礎。
【請求項１８】
前記立ち上がり部の天端面にも前記防蟻シートが接着されている、
請求項１０から１７のいずれか１項に記載のコンクリート基礎。
【請求項１９】
前記防蟻シートは、前記立ち上がり部の天端面において、当該立ち上がり部の幅方向全長ではなく、一部にのみ接着されている、
請求項１８に記載のコンクリート基礎。
【発明の詳細な説明】
【技術分野】
【０００１】
本発明は、コンクリート基礎に直接または間接的に接着される防蟻シートに関する。また、本発明は、当該防蟻シートが直接または間接的に接着されたコンクリート基礎にも関する。
【背景技術】
【０００２】
従来、シロアリ等の木材に危害を加える害虫から木造の建物を保護するための様々な方法が提案されている。例えば特許文献１には、ヒノキチオールを添加し又はヒノキチオールを含有する植物由来の精油に対し除虫菊抽出エキスを付加して得られた防蟻剤を、合成樹脂材料中に０.００５〜１．０ｗ％混合した防蟻シートについて開示されている。また、特許文献１には、当該防蟻シートを敷設し、この防蟻シートの上に捨てコンクリートを打設し、さらに、その上にコンクリート製のベタ基礎を設置した防蟻構造についても開示されている（特許文献１の請求項１、請求項１４および図１等）。
【先行技術文献】
【特許文献】
【０００３】
【特許文献１】特開２００９−０７３７９０号公報
【発明の概要】
【発明が解決しようとする課題】
【０００４】
特許文献１のように、捨てコンクリートの下に防蟻シートを敷設したとしても、害虫が建物の床下に侵入することがある。建物の床下に侵入した害虫はコンクリート基礎の立ち上がり部を上昇して建物の土台に移動するため、コンクリート基礎に対してもあらかじめ害虫対策を講じておくことが望ましい。この点、特許文献１の防蟻シートは、施工後のコンクリート基礎に対して使用することは何ら想定されていない。
【０００５】
本発明の目的は、施工後のコンクリート基礎に対して簡単に設置することができる防蟻シート、および、当該防蟻シートが設置されたコンクリート基礎を提供することを目的とする。
【課題を解決するための手段】
【０００６】
本発明は、コンクリート基礎に直接または間接的に接着される防蟻シートであって、粘着性を有し、コンクリート基礎に接着されることになる第一層と、第二層と、第三層とをこの順で含み、第一層、第二層および第三層の少なくとも一つは、防蟻剤を含むことを特徴としている。
【０００７】
本発明の防蟻シートは、第一層が粘着性を有しているため、施工後のコンクリート基礎に対し第一層を粘着するだけで接着することができる。このように、本発明の防蟻シートは、施工後のコンクリート基礎に対し、簡単に設置することができる。
【０００８】
本発明の防蟻シートにおいて、第三層は防蟻剤を含み、第二層はアルカリ性物質の透過を抑制するバリア層であることが好ましい。
【０００９】
コンクリート基礎は、アルカリ性物質を含むセメント等から構成されているため、コンクリート基礎からアルカリ性物質が漏出することがある。防蟻剤の中にはアルカリ性物質に弱いものも多く、防蟻剤とアルカリ性物質とが接触すると防蟻剤の防蟻効果が消失し、防蟻効果の持続期間が短くなるおそれがある。しかしながら、第三層が防蟻剤を含有している場合に、第二層がアルカリ性物質の透過を抑制するバリア層によって構成されていることにより、コンクリート基礎から漏出したアルカリ性物質の第三層への到達が抑制されるため、アルカリ性物質と防蟻剤との接触が防止され、防蟻効果を長時間にわたって持続させることができる。
【００１０】
本発明の防蟻シートにおいて、第二層は合成樹脂製のフィルムからなることが好ましい。
【００１１】
合成樹脂のフィルムであれば安価で入手することができるため、防蟻シートの製造コストを低く抑えることができる。
【００１２】
本発明の防蟻シートにおいて、第三層の第二層とは反対側の面には、コンクリート基礎への接着用の目印が形成されていることが好ましい。
【００１３】
上記特徴により、防蟻シートをコンクリート基礎に接着する際に、防蟻シートをコンクリート基礎に対して所望の位置で容易に接着することが可能となる。
【００１４】
本発明の防蟻シートにおいて、第三層の第二層とは反対側の面には、第三層から剥離可能な第四層をさらに備えることが好ましい。
【００１５】
上記特徴により、防蟻シートの保管時等に、第四層によって第三層を保護することができる。また、第三層が防蟻剤を含有する場合には、防蟻シートの保管時等に、防蟻剤の防蟻成分の揮散（消失）を抑えることができる。
【００１６】
本発明の防蟻シートにおいて、第四層の第三層とは反対側の面には、コンクリート基礎への接着用の目印が形成されていることが好ましい。
【００１７】
上記特徴により、防蟻シートをコンクリート基礎に接着する際に、防蟻シートをコンクリート基礎に対して所望の位置で容易に接着することが可能となる。
【００１８】
本発明の防蟻シートにおいて、第三層は粘着性を有することが好ましい。
【００１９】
第三層の第二層とは反対側の面に第四層を備える場合には、第三層が粘着性を有していることにより、第四層が第三層から容易に剥がれてしまわないようにすることができる。また、例えば、第三層の粘着力を害虫が第三層に接触した際に第三層から容易には離脱できないくらいの粘着力に調整すれば、害虫が第三層に捕捉されるため、害虫がコンクリート基礎から建物に移動することを防止することができる。
【００２０】
本発明の防蟻シートにおいて、第一層、第二層および第三層の少なくとも一つは、有色であることが好ましい。
【００２１】
上記特徴により、例えば防蟻シートの色をコンクリート基礎の色と同系色にして防蟻シートを目立たなくしたり、あるいは、防蟻シートの色をコンクリート基礎の色に対して視認性の高い色にして防蟻シートを目立つようにすることができる。
【００２２】
本発明の防蟻シートにおいて、防蟻剤の防蟻効果の終了を表示する目印を備えることが好ましい。
【００２３】
上記特徴により、防蟻シートの交換時期を知ることができる。
【００２４】
本発明は、立ち上がり部を備えたコンクリート基礎であって、立ち上がり部の内側面および外側面の少なくとも一方には、上記記載の防蟻シートが直接または間接的に接着されていることを特徴としている。
【００２５】
上記特徴により、防蟻効果を有するコンクリート基礎を得ることができ、コンクリート基礎上の建物を害虫から保護することができる。
【００２６】
本発明のコンクリート基礎において、防蟻シートは、立ち上がり部の高さ方向全長ではなく、一部にのみ接着されていることが好ましい。
【００２７】
上記特徴により、防蟻シートの使用量を減少させることができるため、コストを抑えることができる。
【００２８】
本発明のコンクリート基礎において、防蟻シートは、立ち上がり部の天端面と略同じ高さ位置から下方に延びていることが好ましい。
【００２９】
立ち上がり部の天端面には建物の土台が載置される。そのため、防蟻シートの上端を立ち上がり部の天端面と略同じ高さにすることにより、建物の土台近傍に防蟻シートが位置することになる。その結果、害虫が立ち上がり部から建物の土台に移動することを効果的に防止することができる。
【００３０】
本発明のコンクリート基礎において、立ち上がり部の内側面には、コンクリート基礎の中性化を抑制する養生シートと防蟻シートとが、立ち上がり部側からこの順に接着されていることが好ましい。
【００３１】
上記特徴により、コンクリート基礎の中性化を防止することができると共に、害虫が立ち上がり部の内側面から建物の土台に移動することを防止することができる。
【００３２】
本発明のコンクリート基礎において、養生シートには、防蟻剤が含有されていることが好ましい。
【００３３】
上記特徴により、より防蟻効果の高いコンクリート基礎を得ることができる。
【００３４】
本発明のコンクリート基礎において、立ち上がり部の外側面には、コンクリート基礎に所定の意匠を付与する化粧シートが接着されていることが好ましい。
【００３５】
上記特徴により、所定の意匠が付与されたコンクリート基礎を得ることができる。
【００３６】
本発明のコンクリート基礎において、立ち上がり部の外側面には、化粧シートと防蟻シートとが、立ち上がり部側からこの順に接着されていることが好ましい。
【００３７】
上記特徴により、害虫が立ち上がり部の外側面から建物の土台に移動することを防止することができる。
【００３８】
本発明のコンクリート基礎において、化粧シートには、防蟻剤が含有されていることが好ましい。
【００３９】
上記特徴により、より防蟻効果の高いコンクリート基礎を得ることができる。
【００４０】
本発明のコンクリート基礎において、立ち上がり部の天端面にも防蟻シートが接着されていることが好ましい。
【００４１】
上記特徴により、コンクリート基礎の内側面および／または外側面を移動してきた害虫が、立ち上がり部の天端面と建物の土台との間の隙間に入り込むことを防止し、害虫が天端面から建物の土台に移動することを防止することができる。
【００４２】
本発明のコンクリート基礎において、防蟻シートは、立ち上がり部の天端面において、当該立ち上がり部の幅方向全長ではなく、一部にのみ接着されていることを特徴としている。
【００４３】
上記特徴により、防蟻シートの使用量を減少させることができるため、コストを抑えることができる。
【発明の効果】
【００４４】
本発明の防蟻シートは、施工後のコンクリート基礎に対して簡単に設置することができる。また、当該防蟻シートをコンクリート基礎に接着することにより、防蟻効果を有するコンクリート基礎を得ることができる。
【図面の簡単な説明】
【００４５】
【図１】本発明の防蟻シートの概略断面図である。
【図２】図１の概略平面図であり、第四層の第三層とは反対側の面を表す概略図である。
【図３】コンクリート基礎の概略平面図である。
【図４】（ａ）は図３のＩＶａ−ＩＶａ線概略断面図であり、（ｂ）は図３のＩＶｂ−ＩＶｂ線概略断面図である。
【発明を実施するための形態】
【００４６】
本明細書は以下の順序で説明する。
１．防蟻シート
２．防蟻シートの変形例
３．防蟻シートが接着されたコンクリート基礎
４．防蟻シートが接着されたコンクリート基礎の変形例
【００４７】
以下では本発明について図を参照しながら詳細に説明するが、以下で説明される実施形態はいずれも本発明の好ましい一具体例を示すものである。本発明は、以下の実施形態に限定されず、その趣旨を逸脱しない範囲で適宜変更可能である。
【００４８】
＜１．防蟻シート＞
図１は本発明の防蟻シート１の概略断面図である。本発明の防蟻シート１は、粘着性を有し、コンクリート基礎に接着されることになる第一層１１、第二層１２および第三層１３をこの順に有し、第一層１１、第二層１２および第三層１３の少なくとも一層には防蟻剤が含有されている積層シートからなる。防蟻シート１は、本発明の趣旨を逸脱しない範囲で、第一層１１、第二層１２および第三層１３以外の他の層を含んでいてもよく、例えば図１に示すように第三層１３の第二層１２とは反対側の面に、第三層１３から剥離可能な第四層１４を備えていてもよい。また、防蟻シート１は、第三層１３に防蟻剤が含有されており、第二層１２はコンクリート基礎（以下、単に「基礎」と表記する）から漏出したアルカリ性物質の透過を抑制するバリア層であることが好ましい。
【００４９】
防蟻シート１は、基礎、特に基礎の立ち上がり部に直接または間接的に接着されて使用される。なお、本発明において、「防蟻シート１が基礎に直接接着される」とは、防蟻シート１が、何ら他の部材（例えば、化粧シートや中性化を防止する養生シート等）を介さずに基礎に接着されることを意味する。また、「防蟻シート１が基礎に間接的に接着される」とは、防蟻シート１が、他の部材を介して基礎に接着される（すなわち、基礎と防蟻シート１との間には他の部材が介在しており、防蟻シート１は他の部材に接着される）ことを意味する。
【００５０】
＜第一層＞
第一層１１は、基礎に直接または間接的に接着されることになる層であり、第二層１２の一方の面に形成された、粘着剤からなる粘着剤層である。粘着剤は、基礎または基礎に設置された部材（例えば、化粧シートや養生シート等）に対して粘着力を有していれば特に限定されないが、例えば、天然ゴム系粘着剤、合成ゴム系粘着剤、アクリル系粘着剤、シリコーン系粘着剤またはウレタン系粘着剤を使用することができ、二種類以上の粘着剤を組み合わせて使用することもできる。
【００５１】
＜第二層＞
第二層１２は、基礎から漏出したアルカリ性物質が、防蟻剤を含有する第三層１３に到達することを抑制するためのバリア層である。防蟻剤の中にはアルカリ性物質に弱い薬剤も多く存在しているため、第二層１２を設けることにより、防蟻剤の防蟻効果を長時間にわたって維持することができる。基礎から漏出するアルカリ性物質は、通常、液体状（固体が混合した液体を含む）または気体状である考えられるため、第二層１２の材料には、液体および気体の少なくとも一方の透過を抑制可能な材料が使用される。第二層１２の材料には、液体および気体の両方の透過を抑制可能な材料が使用されることが好ましい。第二層１２の材料には、例えば、ポリエチレンのようなポリエチレン系樹脂、ポリプロピレンのようなポリプロピレン系樹脂、ポリエチレンテレフタレートのようなポリエステル系樹脂、ポリエチレンのようなポリエチレン系樹脂またはポリビニルアルコール若しくはエチレン／ビニルアルコール共重合体のようなビニル系樹脂等の合成樹脂を使用することができる。第二層１２はこのような合成樹脂のフィルム（シート）から構成することができ、第二層１２の厚さは特に限定されず、使用される材料により適宜決定される。
【００５２】
＜第三層＞
第三層１３は、防蟻剤を含有する防蟻層であり、第二層１２の第一層１１とは反対側の面に形成される。第三層１３は、例えば、防蟻剤を混合した粘着剤から形成することができる。防蟻剤としては、シロアリ等の木材に危害を加える害虫に対し防蟻効果（例えば、忌避効果、殺虫効果等）を有する薬剤であれば特に限定されず、二種類以上の防蟻剤を組み合わせて使用することもできる。また、防蟻剤の性状は、固体状（粉末状）または液体状のいずれであってもよい。
【００５３】
第三層１３の粘着力は、害虫が第三層１３に接触した際に、害虫が第三層１３から容易に離脱できないくらいの粘着力であることが好ましく、これにより第三層１３によって害虫を捕捉し、害虫が基礎から建物の土台へ移動することを防止することができる。第三層１３に使用可能な粘着剤としては、上記粘着力を有し、かつ、使用する防蟻剤の防蟻効果を消失させない粘着剤であれば特に限定されず、例えば第一層に使用可能な粘着剤の中から適宜選択することができ、二種類以上の粘着剤を組み合わせて使用することもできる。
【００５４】
第三層１３に使用可能な粘着剤および防蟻剤の組み合わせは、一例として、粘着剤：溶剤系のアクリル系粘着剤、防蟻剤：アセタミプリドを主成分とするモスピラン原末（日本曹達株式会社）である。第三層には、この防蟻剤を液体に溶かし、溶剤系のアクリル系粘着剤と混合した混合物を使用することができる。
【００５５】
＜第四層＞
第四層１４は、第三層１３を保護する保護層であり、防蟻シート１を基礎に接着した後には、第三層１３から剥離される。第四層１４は、第三層１３から人力で剥離可能であれば特に限定されないが、例えば、シリコーン処理等の離型処理された、ポリエチレンテレフタレートのようなポリエステル系樹脂若しくはポリ塩化ビニル等の合成樹脂フィルムまたは紙等の剥離シートを使用することができる。第四層１４を設けることにより、防蟻シート１の保管時等に第三層１３の防蟻効果の揮散（消失）を抑えることができると共に、第三層１３の乾燥を抑え、第三層１３の粘着力の低下を抑制することができる。また、粘着性を有する第三層１３を第四層１４で覆うことにより、防蟻シート１を基礎に接着する際に、作業者の手に第三層１３が粘着せず、作業がし易くなる。
【００５６】
図２は、図１の概略平面図であり、第四層１４の第三層１３とは反対側の面を表す概略図である。第四層１４の第三層１３とは反対側の面には、防蟻シート１を基礎に接着する際に、基礎に対する接着位置等を確認するための目印１５が形成されている。図２では、目印１５の一例として、防蟻シート１の端縁と略平行に延びると共に、一定間隔あけて設けられた複数の直線からなる目盛が設けられている。目印１５は例えば第四層１４に印刷により形成することができる。防蟻シート１に目印１５を設けることにより、作業者は、基礎に対する防蟻シート１の接着位置（例えば、基礎の立ち上がり部の高さ方向に対する位置）や、防蟻シート１の基礎に対する平行度（例えば、基礎の立ち上がり部の長さ方向に対して略平行に接着されているか否か）等を確認しながら、基礎に防蟻シート１を接着することができる。
【００５７】
＜防蟻シートの製造方法＞
以下では、防蟻シート１の製造方法の一例を簡単に説明するが、防蟻シート１の製造方法は以下の方法に限定されず、種々の公知の方法が利用可能である。まず、第四層１４を構成する剥離シートに、第三層１３を構成する防蟻剤含有粘着剤を塗布して乾燥させ、第四層１４上に第三層１３を形成する。第三層１３の第四層１４とは反対側の面に、第二層１２を構成する合成樹脂フィルムを積層し、貼り合わせる。第二層１２の第三層１３とは反対側の面に、第一層１１を構成する粘着剤を塗布して乾燥させ、第一層１１を形成する。このようにして製造された防蟻シート１は、両面粘着テープとなる。防蟻シート１は第一層１１を内側にしてロール状に巻回されることが好ましく、このとき、防蟻シート１は、中空または中実の芯部に巻回されてもよい。
【００５８】
＜効果＞
本発明の防蟻シート１は、第一層１１が粘着性を有する粘着テープとなっている。そのため、粘着性を有する第一層１１を基礎に接着するだけで、施工後の基礎に対して設置することができる。このように本発明の防蟻シート１は、施工後の基礎に簡単に設置することができると共に、交換も容易に行うことができる。
【００５９】
＜２．防蟻シートの変形例＞
以下では、防蟻シート１の変形例について説明する。既に説明した部材については同一の符号を付し、その説明を省略する。
【００６０】
第一層１１、第二層１２、第三層１３および第四層１４以外の他の層を設ける場合、当該他の層にも防蟻剤を含有させもよい。
【００６１】
第二層１２は、複数のフィルムを積層することにより構成してもよく、この場合、複数のフィルムは同じ材料であってもよく、異なる材料であってもよい。
【００６２】
第一層１１、第二層１２および第三層１３の少なくとも一層は有色であってもよい。この場合、例えば、第一層１１、第二層１２または第三層１３の色は、基礎の色（通常、灰色）と同色または近い色とすることができる。これにより、基礎に接着された防蟻シート１を目立たなくすることができる。これとは逆に、第一層１１、第二層１２または第三層１３の色は、基礎の色に対して視認性が高い色（目立つ色）とすることもできる。これにより、基礎に接着された防蟻シート１を目立つようにすることができる。
【００６３】
第三層１３の粘着力は第三層１３に接触した害虫が第三層１３から容易に離脱できないくらい強力でなくともよい。第三層１３の粘着力は、防蟻シート１の保管時等に、第四層１４が第三層１３から自然と剥離してしまわない程度の弱い粘着力とすることもでき、使用目的等に合わせて適宜調整すればよい。
【００６４】
第四層１４は必要に応じて設けられ、第四層１４を設けないことも可能である。第四層１４を設けない場合には、第三層１３は粘着性を有していなくともよい。このとき、第三層１３は、例えば、防蟻剤と粘着性を有しない合成樹脂等との混合物により形成することができる。また、第四層１４に設けられた目印１５は、第三層１３の第二層１２の反対側の面に形成される。
【００６５】
防蟻シート１は、防蟻剤の防蟻効果の終了を表示する目印（インジケータ）を備えていてもよい。このような目印としては、例えば、防蟻効果が消失したら、防蟻シート１の使用期間終了を知らせる文字（例えば「終了」の文字等）が浮き上がるような構成が考えられる。あるいは、所定時間経過したら色調が変化する薬剤を第三層１３に含有させておく方法も考えられる。すなわち、使用する防蟻剤の防蟻効果（防蟻成分）の持続期間をあらかじめ調べておき、その持続期間が経過したら色調が変化するような薬剤を第三層１３に含有させておく。これにより、防蟻効果の消失に合わせて第三層１３の色も変化するため、目視により防蟻シート１の使用期間終了を知ることができる。
【００６６】
＜３．防蟻シートが接着されたコンクリート基礎＞
次に、図３および図４を参照して、防蟻シート１が接着された基礎５０について説明する。図３は基礎５０の平面図であり、図４（ａ）は図３のＩＶａ−ＩＶａ線概略断面図であり、図４（ｂ）は図３のＩＶｂ−ＩＶｂ線概略断面図である。なお、図４では基礎５０としてベタ基礎を表しているが、基礎５０はそれ以外の基礎（例えば、布基礎）であってもよい。
【００６７】
基礎５０は、外周基礎部５１、中通り基礎部（間仕切り基礎）５２および底板コンクリート５３を備え、外周基礎部５１および中通り基礎部５２はそれぞれ立ち上がり部５１１、５２１を備えている。外周基礎部５１の立ち上がり部５１１は、天端面５１１ａ、建物の内側を向く内側面５１１ｂおよび建物の外側を向く外側面５１１ｃを有している。中通り基礎部５２の立ち上がり部５２１は、天端面５２１ａおよび建物の内側を向く内側面５２１ｂを有している。外周基礎部５１および中通り基礎部５２の立ち上がり部５１１、５２１の天端面５１１ａ、５２１ａには、建物の土台が設置される。以下では、図４（ａ）および（ｂ）の上下および左右をそれぞれ、高さ方向（上下方向）および幅方向と表記する。
【００６８】
＜外周基礎部＞
図４（ａ）を参照して、外周基礎部５１の立ち上がり部５１１について説明する。立ち上がり部５１１の内側面５１１ｂには、基礎５０の中性化を抑制するための養生シート６０が接着されている。養生シート６０は、立ち上がり部５１１の上端部（天端面５１１ａ）から底板コンクリート５３近傍まで接着されている。養生シート６０の外側には防蟻シート１が接着されており、防蟻シート１の上部は折り曲げられて天端面５１１ａに接着されている。すなわち、内側面５１１ｂおよび天端面５１１ａに接着された防蟻シート１は１枚の防蟻シート１から成り、防蟻シート１は内側面５１１ｂに間接的に接着され、天端面５１１ａに直接接着されている。
【００６９】
内側面５１１ｂに接着された防蟻シート１の下端部は、底板コンクリート５３よりも上方に位置している。したがって、内側面５１１ｂにおいて、防蟻シート１は、立ち上がり部５１１の高さ方向全長ではなく、立ち上がり部５１１の高さ方向における一部にのみ接着されている。内側面５１１ｂに接着された防蟻シート１の上下方向長さは、一例として、約１００ｍｍから約２００ｍｍである。
【００７０】
立ち上がり部５１１の外側面５１１ｃには、外側面５１１ｃに所定の意匠を付与する化粧シート７０が接着されている。化粧シート７０は、立ち上がり部５１１の上端部（天端面５１１ａ）からＧＬ（グランドライン）よりも下方の位置まで接着されている。化粧シート７０の外側には防蟻シート１が接着されており、防蟻シート１の上部は折り曲げられて天端面５１１ａに接着されている。すなわち、外側面５１１ｃおよび天端面５１１ａに接着された防蟻シート１は１枚の防蟻シート１から成り、防蟻シート１は外側面５１１ｃに間接的に接着され、天端面５１１ａに直接接着されている。
【００７１】
外側面５１１ｃに接着された防蟻シート１の下端部は、ＧＬよりも上方に位置している。したがって、防蟻シート１は、外側面５１１ｃにおいて、立ち上がり部５１１の高さ方向全長ではなく、立ち上がり部５１１の高さ方向における一部にのみ接着されている。外側面５１１ｃに接着された防蟻シート１の上下方向長さは、一例として、約１００ｍｍから約２００ｍｍである。
【００７２】
天端面５１１ａに接着された２枚の防蟻シート１は、幅方向に所定間隔あけて離間されている。天端面５１１ａの幅方向における両端部は２枚の防蟻シート１によってそれぞれ覆われているが、幅方向における中央部分は防蟻シート１によって覆われていない。すなわち、天端面５１１ａは、幅方向全長を防蟻シート１によって覆われているわけではなく、幅方向の一部のみ防蟻シート１によって覆われている。天端面５１１ａに接着された防蟻シート１の幅方向における長さは、一例として、約３０ｍｍから約７０ｍｍである。
【００７３】
＜中通り基礎部＞
図４（ｂ）を参照して、中通り基礎部５２の立ち上がり部５２１について説明する。立ち上がり部５２１の内側面５２１ｂには、基礎５０の中性化を抑制するための養生シート６０が接着されている。養生シート６０は、立ち上がり部５２１の上端部（天端面５２１ａ）から底板コンクリート５３近傍まで接着されている。養生シート６０の外側には防蟻シート１が接着されており、防蟻シート１の上部は折り曲げられて天端面５２１ａに接着されている。すなわち、内側面５２１ｂおよび天端面５２１ａに接着された防蟻シート１は１枚の防蟻シート１から成り、防蟻シート１は内側面５２１ｂに間接的に接着され、天端面５２１ａに直接接着されている。
【００７４】
内側面５２１ｂに接着された防蟻シート１の下端部は、底板コンクリート５３よりも上方に位置している。したがって、内側面５２１ｂにおいて、防蟻シート１は、立ち上がり部５２１の高さ方向全長ではなく、立ち上がり部５２１の高さ方向における一部にのみ接着されている。内側面５２１ｂに接着された防蟻シート１の上下方向長さは、一例として、約１００ｍｍから約２００ｍｍである。
【００７５】
天端面５２１ａに接着された２枚の防蟻シート１は、幅方向に所定間隔あけて離間されている。天端面５２１ａの幅方向における両端部は２枚の防蟻シート１によってそれぞれ覆われているが、幅方向における中央部分は防蟻シート１によって覆われていない。すなわち、天端面５２１ａは、幅方向全長を防蟻シート１によって覆われているわけではなく、幅方向の一部のみ防蟻シート１によって覆われている。天端面５２１ａに接着された防蟻シート１の幅方向における長さは、一例として、約３０ｍｍから約７０ｍｍである。
【００７６】
＜養生シート＞
養生シート６０は基礎５０の中性化を抑制できるシートであれば特に限定されない。養生シート６０は複数の層から構成されていてもよく、一例として、基礎５０に接着される基材層と、二酸化炭素の透過を抑制する二酸化炭素バリア層とを有する積層シートであってもよい。基材層は、例えば、ポリプロピレンのようなポリプロピレン系樹脂、ポリエチレンテレフタレートのようなポリエステル系樹脂等の合成樹脂繊維から成る不織布のシートから構成することができる。二酸化炭素バリア層の材料は、大気中の二酸化炭素が基礎５０内へ侵入することを抑制できれば特に限定されない。二酸化炭素バリア層の材料は、水の透過も抑制可能であることが好ましい。二酸化炭素バリア層は、例えば、ポリエチレンのようなポリエチレン系樹脂、ポリプロピレンのようなポリプロピレン系樹脂、ポリエチレンテレフタレートのようなポリエステル系樹脂、ポリエチレンのようなポリエチレン系樹脂またはポリビニルアルコール若しくはエチレン／ビニルアルコール共重合体のようなビニル系樹脂等の合成樹脂製フィルム（シート）から構成することができる。
【００７７】
養生シート６０は、基礎５０の中性化を抑制する効果を消失させない範囲で、基材層および二酸化炭素バリア層以外の他の層を含んでいてもよい。養生シート６０は、基材層と二酸化炭素バリア層との間、または、二酸化炭素バリア層の基材層とは反対側の面に、養生シート６０を補強する補強層を有していてもよい。補強層は、例えば、ガラス繊維製若しくはガラス繊維が縦横に配列されたガラスメッシュ製シート、ガラス繊維若しくはガラスメッシュを含む合成樹脂シートまたは基材層と同様の材料から製造可能な不織布から構成することができる。養生シート６０を構成する層の少なくとも一つには、防蟻剤が含有されていてもよい。防蟻剤は防蟻効果を有する薬剤であれば特に限定されず、防蟻シート１に使用した防蟻剤と同じであっても異なっていてもよく、二種類以上の防蟻剤を組み合わせて使用することもできる。
【００７８】
養生シート６０を基礎５０に接着する方法は特に限定されない。例えば、養生シート６０を施工後の基礎５０にモルタル等の接着剤により接着させる方法が挙げられる。あるいは、立ち上がり部５１１、５２１を施工するための一対の型枠の一方に、養生シート６０の基材層がコンクリートの打設空間側となるようあらかじめ養生シート６０を取り付けておき、その後、一対の型枠間にコンクリートを打設することにより、基礎５０と養生シート６０とを一体化させてもよい。
【００７９】
＜化粧シート＞
化粧シート７０は基礎５０に所定の意匠を付与できるシートであれば特に限定されない。化粧シート７０は複数の層から構成されていてもよく、一例として、基礎５０に接着される基材層と、所定の意匠が形成された化粧層とを有する積層シートであってもよい。化粧シート７０は、基材層および化粧層以外の他の層を含んでいてもよい。化粧シート７０は、例えば基材層と化粧層との間に、二酸化炭素の透過を抑制する二酸化炭素バリア層、水の透過を抑制する水バリア層（防水層）、および／または化粧シート７０を補強する補強層を有していてもよい。一つの層が、二酸化炭素バリア層および水バリア層の両方を兼ねていてもよい。化粧シート７０の好ましい実施形態は、基材層／補強層／化粧層、基材層／二酸化炭素バリア層／化粧層、基材層／水バリア層／化粧層、基材層／二酸化炭素バリア層／補強層／化粧層、基材層／水バリア層／補強層／化粧層、または、基材層／水バリア層／二酸化炭素バリア層／補強層／化粧層である。二酸化炭素バリア層と補強層との順序、水バリア層と補強層との順序、および、二酸化炭素バリア層と補強層と水バリア層との順序は、入れ替え可能であり、二酸化炭素バリア層と水バリア層とは一つの層から形成されていてもよい。
【００８０】
基材層で使用可能な材料は養生シート６０の基材層で使用可能な材料と同じ材料が挙げられる。化粧シート７０の二酸化炭素バリア層および補強層で使用可能な材料はそれぞれ、養生シート６０の二酸化炭素バリア層および補強層で使用可能な材料と同じ材料が挙げられる。水バリア層で使用可能な材料は、養生シート６０の二酸化炭素バリア層で使用可能な材料と同じ材料が挙げられる。化粧層は、例えば、隣接する層に塗料を塗布することにより形成した塗料層または隣接する層にモルタル等の接着剤によって接着されたタイルから構成することができる。化粧層を構成するタイルは、タイルが接着されていない状態の化粧シート７０を基礎５０に接着した後で、化粧シート７０の露出した面に接着するようにしてもよい。
【００８１】
化粧シート７０を構成する層の少なくとも一つには防蟻剤が含有されていてもよく、例えば、防蟻剤を含有した塗料により化粧層を構成してもよい。防蟻剤は防蟻効果を有する薬剤であれば特に限定されず、防蟻シート１に使用した防蟻剤と同じであっても異なっていてもよく、二種類以上の防蟻剤を組み合わせて使用することもできる。化粧シート７０を基礎５０に接着する方法は養生シート６０を基礎５０に接着する方法と同様の方法が利用可能である。
【００８２】
＜効果＞
内側面５１１ｂ、５２１ｂおよび外側面５１１ｃには防蟻シート１が接着されているため、内側面５１１ｂ、５２１ｂおよび外側面５１１ｃを上昇してきた害虫が、防蟻シート１の防蟻効果によってそれ以上上昇することが防止される。これにより、害虫が建物に移動することを防止できる。防蟻シート１が内側面５１１ｂ、５２１ｂおよび外側面５１１ｃの少なくとも上端部近傍に位置していることにより、建物の土台近傍が防蟻シート１によって保護されることになるため、害虫が内側面５１１ｂ、５２１ｂおよび外側面５１１ｃから建物の土台へと移動することを効果的に防止することができる。また、天端面５１１ａ、５２１ａに防蟻シート１が接着されていることにより、害虫が天端面５１１ａ、５２１ａと建物の土台との間の隙間から建物の土台へと移動することを防止することができる。特に、天端面５１１ａ、５２１ａの幅方向における端部が防蟻シート１によって覆われている場合には、天端面５１１ａ、５２１ａと建物の土台との隙間の入口に防蟻シート１が存在することになるため、害虫がその隙間に侵入することを効果的に防止することができる。
【００８３】
＜４．防蟻シートが接着されたコンクリート基礎の変形例＞
以下では、防蟻シート１が接着された基礎５０の変形例について説明する。既に説明した部材については同一の符号を付し、その説明を省略する。
【００８４】
天端面５１１ａ、内側面５１１ｂ、外側面５１１ｃ、天端面５２１ａおよび内側面５２１ｂのすべてに防蟻シート１が接着されている形態に限定されず、それらのうち少なくとも一つに防蟻シート１が接着されている形態であってもよい。防蟻シート１は、天端面５１１ａ、内側面５１１ｂ、外側面５１１ｃ、天端面５２１ａまたは内側面５２１ｂの長さ方向全周に接着されている形態に限定されず、長さ方向の一部にのみ接着されている形態であってもよい。また、底板コンクリート５３に防蟻シート１が接着されていてもよい。
【００８５】
天端面５１１ａと内側面５１１ｂとに接着された防蟻シート１は１枚の防蟻シート１により構成されている必要はなく、それぞれ別々の防蟻シート１を接着するようにしてもよい。同様に、天端面５１１ａおよび外側面５１１ｃに接着された防蟻シート１、並びに天端面５２１ａおよび内側面５２１ｂに接着された防蟻シート１も、それぞれ別々の防蟻シート１を接着するようにしてもよい。この場合、内側面５１１ｂおよび外側面５１１ｃに接着された防蟻シート１の上端部は、天端面５１１ａと略同じ高さに位置していてもよく、天端面５１１ａよりも下方に位置していてもよい。同様に、内側面５２１ｂに接着された防蟻シート１の上端部は、天端面５２１ａと略同じ高さに位置していてもよく、天端面５２１ａよりも下方に位置していてもよい。天端面５１１ａ、５２１ａに接着された防蟻シート１は、天端面５１１ａ、５２１ａの幅方向端部を覆うのではなく、天端面５１１ａ、５２１ａの幅方向端部よりも内側（中央寄り）のみを覆うようにしてもよい。
【００８６】
内側面５１１ｂ、５２１ｂには、天端面５１１ａ、５２１ａから底板コンクリート５３近傍まで、内側面５１１ｂ、５２１ｂの高さ方向略全長にわたって防蟻シート１が接着されていてもよい。外側面５１１ｃには、天端面５１１ａからＧＬ近傍まで、外側面５１１ｃの高さ方向略全長にわたって防蟻シート１接着されていてもよい。天端面５１１ａ、５２１ａには、天端面５１１ａ、５２１ａの幅方向略全長にわたって防蟻シート１が接着されていてもよい。
【００８７】
化粧シート７０は、その上部に化粧層が形成されていない部分を設け、その部分に防蟻シート１を接着するようにしてもよい。
【００８８】
養生シート６０および／または化粧シート７０はそれぞれ内側面５１１ｂ、５２１ｂおよび外側面５１１ｃの高さ方向全長に接着されている必要はなく、高さ方向の一部のみに接着されていてもよい。あるいは、養生シート６０および／または化粧シート７０を全く設けないことも可能である。そして、防蟻シート１は、養生シート６０および化粧シート７０を介さずに、内側面５１１ｂ、外側面５１１ｃまたは内側面５２１ｂに直接接着されていてもよい。
【符号の説明】
【００８９】
１          防蟻シート
１１        第一層
１２        第二層
１３        第三層
１４        第四層
１５        目印
５０        コンクリート基礎
５１        外周基礎部
５１１      立ち上がり部
５１１ａ    天端面
５１１ｂ    内側面
５１１ｃ    外側面
５２        中通り基礎部
５２１      立ち上がり部
５２１ａ    天端面
５２１ｂ    内側面
６０        養生シート
７０        化粧シート
【図１】
2018003335.tif 000003
【図２】
2018003335.tif 000004
【図３】
2018003335.tif 000005
【図４】
2018003335.tif 000006